(57)【特許請求の範囲】
【請求項１】
窓ガラスが固定されるキャリアプレートと、
該キャリアプレートの移動をガイドするガイドレールと、
該ガイドレールの一端に設けられるハウジングと、
前記ガイドレールの他端に設けられるワイヤガイドと、
前記ハウジングに収容されるドラムと、
前記ワイヤガイドに掛け回され、一端が前記キャリアプレートに、他端が前記ドラムに連結された上昇用ワイヤと、
一端が前記キャリアプレートに、他端が前記ドラムに連結された下降用ワイヤと、
前記ドラムを回転駆動する駆動部とを備えたウインドレギュレータにおいて、
前記ガイドレールは、レール本体部と、前記レール本体部の一端に設けられ、前記ハウジングへ挿通される挿通部と、前記レール本体部に設けられた係止片とを有し、
前記ハウジングは、前記挿通部を収容する収容部と、前記係止片の先端と係合する係合部と、前記係止片の先端と当接したときに前記係止片の先端を前記係合部まで案内する案内部とを有し、
前記係止片と前記係合部とが係合することで、前記ハウジングが前記上昇用ワイヤおよび前記下降用ワイヤの張力を減少させる方向へ移動するのを規制することを特徴とするウインドレギュレータ。
【請求項２】
前記係止片は、前記レール本体部から突出するように折り曲げられている部分であることを特徴とする請求項１記載のウインドレギュレータ。
【請求項３】
前記案内部は、前記係止片を前記係合部まで案内するにしたがって、前記レール本体部からの前記係止片の折り曲げ角度を増加させるように、前記係合部に向かって傾斜していることを特徴とする請求項２記載のウインドレギュレータ。
【請求項４】
前記係止片は、前記ハウジングに向かって延び、幅広に形成されていることを特徴とする請求項２または３記載のウインドレギュレータ。
【発明の詳細な説明】
【技術分野】
【０００１】
本発明は、車両のドアに適用されるウインドレギュレータに関する。
【背景技術】
【０００２】
車両のドアのインナーパネルに固定して使用されるウインドレギュレータは、一般に、窓ガラスが固定されるガラスホルダと、該ガラスホルダと連結されるキャリアプレートと、キャリアプレートに一端が連結される上昇用及び下降用のワイヤと、該ワイヤの配索方向を変更するワイヤガイドと、前記ワイヤの他端が連結されるドラムと、ドラムを回動させることで前記ワイヤの一方を巻き取り、他方を送り出すことで、キャリアプレートと共にガラスホルダに固定された窓ガラスを上下に移動させる駆動部とを備える。このウインドレギュレータにおいては、常にワイヤに張力が付与されている状態としておく必要がある。【０００３】
このようなことを鑑みてか、特許文献１には、ワイヤガイドが設けられたブラケットを、ワイヤに張力が付与される状態でガイドレールの一端に一体に結合させるウインドレギュレータが開示されている。また、特許文献２には、ワイヤガイドが設けられたブラケットと、該ブラケットを回転可能に保持すると共に、該ブラケットを任意の位置でボルトとナットとにより固定できるベースブラケットとを備えるウインドレギュレータが開示されている。このウインドレギュレータは、ブラケットをワイヤに張力が付与される位置に回転させた後、当該位置でベースブラケットに固定するものである。
【先行技術文献】
【特許文献】
【０００４】
【特許文献１】特開平８−２７０３２８号公報
【特許文献２】特開２０００−３５６０６８号公報
【発明の概要】
【発明が解決しようとする課題】
【０００５】
しかしながら、特許文献１に開示されるウインドレギュレータにおいては、ブラケットとガイドレールとの間に嵌合構造が設けられておらず、よってこれらを一体に結合させる際には、互いに傾かないように製造設備で位置決めしつつ作業を行う必要がある。そのため、当該ウインドレギュレータには、製造が煩雑になるという問題がある。【０００６】
また、特許文献２に開示されるウインドレギュレータにおいては、ワイヤに張力が付与された状態を維持しつつ、ボルトとナットとによりブラケットをベースブラケットに固定する必要がある。そのため、当該ウインドレギュレータにも、製造が煩雑になるという問題がある。更に、当該ウインドレギュレータを使用途中において、ナットが緩んだ場合には、ブラケットがワイヤの張力を下げる方向へ移動してしまうという問題もある。【０００７】
本発明は、以上のような問題点に鑑みてなされたものであり、製造が容易で、確実にワイヤへ張力が付与できるウインドレギュレータを提供することを目的とする。
【課題を解決するための手段】
【０００８】
上記目的を達成するために、本発明のウインドレギュレータは、窓ガラスが固定されるキャリアプレートと、該キャリアプレートの移動をガイドするガイドレールと、該ガイドレールの一端に設けられるハウジングと、前記ガイドレールの他端に設けられるワイヤガイドと、前記ハウジングに収容されるドラムと、前記ワイヤガイドに掛け回され、一端が前記キャリアプレートに、他端が前記ドラムに連結された上昇用ワイヤと、一端が前記キャリアプレートに、他端が前記ドラムに連結された下降用ワイヤと、前記ドラムを回転駆動する駆動部とを備えたウインドレギュレータにおいて、前記ガイドレールが、レール本体部と、前記レール本体部の一端に設けられ、前記ハウジングへ挿通される挿通部と、前記レール本体部に設けられた係止片とを有し、前記ハウジングが、前記挿通部を収容する収容部と、前記係止片の先端と係合する係合部と、前記係止片の先端と当接したときに前記係止片の先端を前記係合部まで案内する案内部とを有し、前記係止片と前記係合部とが係合することで、前記ハウジングが前記上昇用ワイヤおよび前記下降用ワイヤの張力を減少させる方向へ移動するのを規制することを特徴としている。
【発明の効果】
【０００９】
（１）本発明のウインドレギュレータは、窓ガラスに固定されたキャリアプレートの移動をガイドするガイドレールに設けられた係止片の先端と、上昇用ワイヤ及び下降用ワイヤの他端に連結されたドラムを収容するハウジングに設けられた係合部とが係合することにより、ハウジングが、上昇用ワイヤおよび下降用ワイヤの張力を減少させるガイドレールの長手方向に移動することを規制できる。又、本ウインドレギュレータは、前記係止片の先端と前記係合部とが係合しない場合であっても、前記ハウジングに設けられた案内部が係止片の先端を係合部まで案内して、追加工を行うことなく、係止片の先端と係合部とを係合させることができる。従って、本ウインドレギュレータは、製造が容易であると共に、確実に上昇用ワイヤ及び下降用ワイヤへ張力を付与することができる。【００１０】
（２）本発明のウインドレギュレータは、係止片が、前記ガイドレールのガイドレール本体部から突出するように該ガイドレール本体部を折り曲げた部分により構成されている。従って、本ウインドレギュレータは、係止片を別部材により構成する必要がなく、一層製造が容易である。【００１１】
（３）本発明のウインドレギュレータは、係合部に向かって傾斜した案内部が、係止片の先端と摺接しながら該係止片の先端を係合部まで案内する。従って、本ウインドレギュレータは、係止片の先端と係合部との係合が確実になり、一層製造が容易であると共に、上昇用ワイヤ及び下降用ワイヤの張力が安定する。【００１２】
（４）本発明のウインドレギュレータは、係合片がハウジングに向かって伸びて幅広に形成されている。これにより、本ウインドレギュレータは、係止片の剛性を向上して、ハウジングが上昇用ワイヤ及び下降用ワイヤの張力を減少させる方向へ移動することを安定して規制することができるので、一層確実に上昇用ワイヤ及び下降用ワイヤに張力を付与できる。
【図面の簡単な説明】
【００１３】
【図１】本発明のウインドレギュレータの正面図。
【図２】ガイドレールの図であり、（ａ）拡大正面図、（ｂ）Ａ−Ａ拡大断面図、（ｃ）Ｂ−Ｂ拡大断面図。
【図３】ハウジングの図であり、（ａ）拡大正面図、（ｂ）拡大平面図、（ｃ）Ｃ−Ｃ拡大断面図。
【図４】ガイドレールとハウジングとの組み付けを説明する要部拡大断面図。
【発明を実施するための形態】
【００１４】
以下、図面を参照しつつ、本発明の実施の形態を説明する。本発明のウインドレギュレータ１は、図外の車両用のドアのインナーパネルに固定して使用されるものであり、図１に示すように、図外の窓ガラスが固定された図外のガラスホルダが固定されているキャリアプレート２と、キャリアプレート２をガイドして昇降させるガイドレール３と、ガイドレール３の上端付近に取り付けられるワイヤガイド４と、ワイヤガイド４から所定距離下方のガイドレール３に取り付けられて、ドアのインナーパネルへの固定に使用されるブラケット５と、ガイドレール３の下端に取り付けられるハウジング６と、ハウジング６内に収容されるドラム７と、ハウジング６に取り付けられて、ドラム７を回動する駆動部８とを有している。更に、本ウインドレギュレータ１では、上昇用ワイヤ９はワイヤガイド４に掛け回されて、一端がキャリアプレート２に連結され、他端がドラム７に連結されている。下降用ワイヤ１０は、一端をキャリアプレート２に連結され、他端をドラム７に連結されている。
【００１５】
本発明のウインドレギュレータ１は、上記の構成をとることによって、駆動部８がドラム７を回転駆動して、上昇用ワイヤ９をドラム７に巻き取ると共に、下降用ワイヤ１０をドラム７より一端側へ送り出すことで、前記窓ガラスを上昇させるものである。本発明のウインドレギュレータ１は、上昇用ワイヤ９をドラム７より一端側へ送り出すと共に、下降用ワイヤ１０をドラム７に巻き取ることで、窓ガラスを下降させるものである。
【００１６】
ウインドレギュレータ１は、ガイドレール３及びハウジング６の構成に特徴があり、それ以外の構成については公知のものを採用することができる。従って、以下では、ガイドレール３及びハウジング６の構成を中心に説明する。
【００１７】
ガイドレール３は、図２に示すように、上下方向に所定の長さを有する略長方形状の亜鉛メッキ鋼板等の金属薄板を所定形状に形成したものである。ガイドレール３は、上下に延びるレール本体部１１と、レール本体部１１の下端に設けられて、図３に示すハウジング６に挿通する挿通部１２とを備える。ガイドレール３は、幅方向の一端の縁に略直角に折り曲げられた折曲部１３と、幅方向の他端より所定の長さ内側に形成され、二重に折り曲げられて折曲部１３と逆方向に突出する二重折曲部１４が形成されている。
【００１８】
レール本体部１１は、上端付近に設けられ、図１に示すワイヤガイド４を回動可能に取り付けるための貫通孔１５と、下端付近に設けられ、図３に示すハウジング６を係止する係止片１６とを備える。
【００１９】
係止片１６は、図２（ａ）によく表れるように、上縁がレール本体部１１に繋がって、レール本体部１１の幅方向に所定の幅を有し、レール本体部１１の下端方向に延びる矩形の板である。係止片１６は、レール本体部１１を打ち抜くことでレール本体部１１と一体に形成されたものである。係止片１６は、図２（ｂ）、（ｃ）によく表れるように、下縁が前記折曲部１３と同一方向に突出するよう上縁にて所定角度折り曲げられている。
【００２０】
挿通部１２は、図２（ａ）に示すように、二重折曲部１４を含み形成される矩形の第一挿通部１７と、第一挿通部１７と切欠部１８を挟んで設けられ、係止片１６の下方に位置して折曲部１３を含み形成される矩形の第二挿通部１９とを備える。第一挿通部１７は、第二挿通部１９と比べて、ガイドレール３の幅方向に狭く、且つ、ガイドレール３の長手方向に長く形成されている。
【００２１】
ハウジング６は、樹脂、金属等の材料により構成されており、図３に示すように、内部に図１に示すドラム７を回動可能に収容する図外のドラム収容部が形成された本体部２０と、本体部２０の上面から突出した突出部２１とを備える。
【００２２】
突出部２１には、図３（ｂ）によく表れるように、上面の右側端付近から、左側端方向へ向かって順次、図２（ａ）に示す第一挿通部１７を収容する第一収容部２２、図外のドラム収容部に連通しており、図１に示す下降用ワイヤ１０を挿通する下降用ワイヤ案内溝２３、図２（ａ）に示す第二挿通部１９を収容する第二収容部２４、及び、ドラム収容部に連通しており、図１に示す上昇用ワイヤ９を挿通する上昇用ワイヤ案内溝２５が、何れも上方に開口して形成されている。なお、第一収容部２２と第二収容部２４とは、収容部２６を構成しており、第一挿通部１７及び第二挿通部１９がガイドレール３の長手方向へ移動するのを許容し、第一挿通部１７および第二挿通部１９がガイドレール３の長手方向に対する垂直方向への移動するのを規制する。
【００２３】
突出部２１は、図３（ｃ）によく表れているように、第二収容部２４の正面側の上面から上方に立設する突出板２７を備えている（図３（ａ）（ｂ）参照）。突出部２１は、突出板２７の背面側面と、突出部２１の上面とが接合する角部付近により、図２に示す係止片１６の先端と結合する係合部２８を構成している。突出部２１は、第２収容部２４と突出板２７との間の上面に、第２収容部２４側から係合部２８に向かって下方に傾斜した傾斜面を形成することにより、係止片１６の先端を係合部２８に案内する案内部２９を構成している。なお、案内部２９は係止片１６の先端を係合部２８に案内できる形状であれば、傾斜面に限られない。
【００２４】
以上のように各部が構成されるガイドレール３とハウジング６の組み付けについて説明する。この組み付けは、ガイドレール３の挿通部１２の第一挿通部１７及び第二挿通部１９を、ハウジング６の収容部２６の第一収容部２２及び第二収容部２４に夫々挿入して、図４（ａ）に示すように、ハウジング６に対しガイドレール３を下方に相対移動させる（矢印ｉ）。この際、ガイドレール３のレール本体部１１に形成されている係止片１６の上縁での折り曲げ角度が適正であれば、係止片１６の先端は、ハウジング６の係合部２８に係合する。
【００２５】
ここで、前記係止片１６は、図２（ａ）に示すように、レール本体部１１の下端方向、即ちハウジング６の方向に向かって伸びている。係止片１６は、幅広に形成されており、図４（ａ）に示すように、先端がハウジング６の係合部２８と係合した際に、ハウジング６がガイドレール３に対し、ガイドレール３の長手方向の上方向、即ち、図１に示す上昇用ワイヤ９及び下降用ワイヤ１０の張力を減少させる方向へ移動することを安定して規制できる剛性を有している。従って、係止片１６の先端を係合部２８に係合することで、ハウジング６は、上昇用ワイヤ９及び下降用ワイヤ１０の張力を減少させる方向への移動を規制される。
【００２６】
ガイドレール３とハウジング６との組み付け時において、図４（ｂ）に示すように、係止片１６の上縁での折り曲げ角度が不足している場合は、ガイドレール３の挿通部１２の第一挿通部１７及び第二挿通部１９を、ハウジング６の収容部２６の第一収容部２２及び第二収容部２４に夫々挿入して、ハウジング６に対しガイドレール３を下方に相対移動させると（矢印ｉｉ）、係止片１６の先端がハウジング６の案内部２９に当接する。
【００２７】
上記状態にて、ハウジング６に対しガイドレール３を下方に更に相対移動させると、係止片１６の先端が、係合部２８に向かって傾斜している案内部２９に摺接しながら、係合部２８まで案内されるにしたがって、係止片１６の上縁での折り曲げ角度が増加する（矢印ｉｉｉ）。これにより、係止片１６の先端は、係合部２８に係合して、ハウジング６は上昇用ワイヤ９及び下降用ワイヤ１０の張力を減少させる方向への移動を規制される。
【００２８】
以上説明した本発明のウインドレギュレータ１では、窓ガラスが固定された図外のガラスホルダが固定されているキャリアプレート２をガイドするガイドレール３のレール本体部１１に設けられ、幅広に形成していることで剛性を向上した係止片１６の先端と、上昇用ワイヤ９及び下降用ワイヤ１０の他端に連結されたドラム７を収容するハウジング６に設けられた係合部２８とが係合する。これにより、本ウインドレギュレータ１では、ハウジング６が、上昇用ワイヤ９及び下降用ワイヤ１０の張力を減少する方向に移動することを規制することができる。
【００２９】
本発明のウインドレギュレータ１では、係止片１６が、ガイドレール３のレール本体部１１を折り曲げた部分により構成されているので、レール本体部１１と別部材で係止片１６を構成する必要がなく、一層製造が容易である。
【００３０】
本発明のウインドレギュレータ１は、ハウジング６が係合部２８へと傾斜した傾斜面である案内部２９を備えている。そのため、本ウインドレギュレータ１では、係止片１６の上縁での折り曲げ角度が不足して、係止片１６の先端が係合部２８と係合しない場合であっても、案内部２９が係止片１６の先端を摺接しながら、係止片１６の先端を係合部２８に案内する。これにより、本ウインドレギュレータ１は、追加工を行うことなく、確実に係止片１６の先端を係合部２８に係合させて、ハウジング６が、上昇用ワイヤ９及び下降用ワイヤ１０の張力を減少する方向に移動することを規制することができる。そのため、本ウインドレギュレータ１では、製造が容易であると共に、確実に上昇用ワイヤ９及び下降用ワイヤ１０へ張力を付与することができる。また、上昇用ワイヤ９及び下降用ワイヤ１０の張力を安定させることができる。
【００３１】
なお、本実施の形態で示したウインドレギュレータ１は、本発明に係るウインドレギュレータの一態様にすぎず、本発明の要旨を逸脱しない範囲内で種々の変形実施が可能である。
【産業上の利用可能性】
【００３２】
本発明に係るウインドレギュレータは、車両用ドアに適用することができる。
【符号の説明】
【００３３】
１  ウインドレギュレータ
２  キャリアプレート
３  ガイドレール
４  ワイヤガイド
６  ハウジング
７  ドラム
８  駆動部
９  上昇用ワイヤ
１０  下降用ワイヤ
１１  レール本体部
１２  挿通部
１６  係止片
２６  収容部
２８  係合部
２９  案内部
【図１】
0005925198.tif 000002
【図２】
0005925198.tif 000003
【図３】
0005925198.tif 000004
【図４】
0005925198.tif 000005